(57)【要約】      （修正有）【課題】災害発生後の避難所等で容易に組み立て可能であり且つ組み立て時に発生するごみの量を最小限に抑えることができる組立式家具を提供する。【解決手段】本考案に係る段ボール製組立式家具は、それぞれ複数の切り込みＳ１，Ｓ２を有する複数の仕切り板１，２と、底板５ａと底板の周縁部から立設した側板５ｂとを有し仕切り板を収容可能な容器５とを備える。複数の仕切り板は組み立てられることによって井桁状の構造体となり、井桁状の構造体に容器を装着することによって、井桁状の構造体の上面に底板の内面５ｃが当接し且つ井桁状の構造体の側方に突出する仕切り板の端部に側板の内面５ｄが当接して組み立てられる。容器は、天板６ａと、天板の周縁部から立設した側板６ｂとを有する蓋６を更に備える。【選択図】図３
0003194505.tif 000002
【実用新案登録請求の範囲】
【請求項１】
段ボール製の組立式家具であって、
それぞれ複数の切り込みを有する複数の仕切り板と、
底板と、当該底板の周縁部から立設した側板とを有し、前記複数の仕切り板を収容可能な容器と、
を備え、
前記複数の仕切り板は組み立てられることによって井桁状の構造体となり、
前記井桁状の構造体に前記容器が装着されることによって、前記井桁状の構造体の上面に前記底板の内面が当接し且つ前記井桁状の構造体の側方に突出する前記仕切り板の端部に前記側板の内面が当接することによって前記容器が前記井桁状の構造体に対するロック部材としての役割を果たす、組立式家具。
【請求項２】
前記容器は、天板と、前記天板の周縁部から立設した側板とを有する蓋を更に備える、請求項１に記載の組立式家具。
【請求項３】
前記容器の前記底板の目方向と前記天板の目方向が互いに直交している、請求項２に記載の組立式家具。
【請求項４】
当該組立式家具は簡易ストレッチャーであり、
前記底板は、長方形であり且つ長手方向に並行して延びる少なくとも二本の折れ目を有し、
前記井桁状の構造体の上面は、短手方向の中央部が低くなるように構成されている、請求項１〜３のいずれか一項に記載の組立式家具。
【請求項５】
当該組立式家具は簡易机であり、
前記複数の仕切り板のうち、並行して配置される一組の前記仕切り板がアーチ状に形成された凹部を有する、請求項１〜３のいずれか一項に記載の組立式家具。
【考案の詳細な説明】
【技術分野】
【０００１】
本考案は、段ボール製組立式家具に関し、具体的には段ボール製の組立式簡易椅子、組立式簡易ベッド（組立式簡易ストレッチャーを含む）、組立式簡易机及び組立式簡易便座等に関する。
【背景技術】
【０００２】
地震などの大規模な自然災害が発生した後、避難所等で使用するための段ボール製の簡易ベッド及び組立式椅子の開発がこれまでにもなされている（特許文献１〜３参照）。
【先行技術文献】
【特許文献】
【０００３】
【特許文献１】特開２０１２−２３５８１９号公報
【特許文献２】特開２００９−５９０２号公報
【特許文献３】特開２００９−５８１５号公報
【考案の概要】
【考案が解決しようとする課題】
【０００４】
しかし、本考案者らの調査によると、従来の段ボール製組立式家具は組立作業が必ずしも容易ではなかったり、組み立て前のキットを運搬又は保管するための梱包材が必要であり組立時に梱包材が大量のごみとして発生するなどの課題を有していた。
【０００５】
本考案は、災害発生後の避難所等で容易に組み立て可能であり且つ組み立て時に発生するごみの量を最小限に抑えることができる組立式家具を提供することを目的とする。
【課題を解決するための手段】
【０００６】
本考案に係る段ボール製組立式家具は、それぞれ複数の切り込みを有する複数の仕切り板と、底板と当該底板の周縁部から立設した側板とを有し仕切り板を収容可能な容器とを備える。複数の仕切り板は組み立てられることによって井桁状の構造体となり、この井桁状の構造体に容器が装着されることによって、井桁状の構造体の上面に底板の内面が当接し且つ井桁状の構造体の側方に突出する仕切り板の端部に側板の内面が当接することによって容器が井桁状の構造体に対するロック部材としての役割を果たす。
【０００７】
上記井桁状の構造体となる複数の仕切り板は運搬時及び保管時等においては容器に収容されている。このため、梱包材が全く不要であるか、梱包材を使用するにしても最小限にとどめることができる。これにより組立時に発生するごみの量をゼロ又は最小限にとどめることができる。
【０００８】
複数の仕切り板が容器に収容された状態から家具を組み立てるには、まず容器から複数の仕切り板を取り出し、これらを組み立てて井桁状の構造体を作製する。井桁状の構造体は通常、側方から力が加わると、本来矩形であるべき井桁が平行四辺形に変形する。本考案においては、井桁状の構造体に容器を装着することによって井桁状の構造体の変形を防止する。つまり、容器が井桁状の構造体に対するロック部材としての役割を果たす。井桁状の構造体に容器を装着するという極めて簡易な作業で家具を組み立てることができる。
【０００９】
容器がロック部材としての役割を果たすため、井桁状の構造体の上面を容器がちょうど覆うことができるように両者は互いに適したサイズに設計されている。すなわち、上述のとおり、井桁状の構造体に容器が装着されることによって、井桁状の構造体の上面に底板の内面が当接し且つ井桁状の構造体の側方に突出する仕切り板の端部に側板の内面が当接するように両者のサイズが設計されている。
【００１０】
上記容器は、天板と、当該天板の周縁部から立設した側板とを有する蓋を更に備えてもよい。蓋を採用することで、簡易的な梱包材すらも使用せず、組み立て前の家具（キット）をそのままの状態で運搬したり保管したりすることができる。家具を組み立てる際には、井桁状の構造体に上記容器（以下、「容器本体」という。）を更に覆うように蓋を配置すればよい。これにより、当該家具の強度をより高めることができ、また蓋をごみとして廃棄する必要もない。
【００１１】
上記組立式家具の具体例として、組立式簡易椅子、組立式簡易ベッド（ストレッチャーを含む）、組立式簡易机及び組立式簡易便座等が挙げられる。井桁状の構造体のサイズ、強度及び形状を適宜設定することで目的の用途の家具を構成することができる。
【００１２】
例えば、組立式の簡易ストレッチャーの場合、容器本体の底板は長方形であり且つ長手方向に並行して延びる少なくとも二本の折れ目を有し、井桁状の構造体の上面は短手方向の中央部が低くなるように構成することが好ましい。ストレッチャーの短手方向の中央部を低くし、その外側を高くすることでストレッチャーに乗せられる負傷者の位置が安定し、落下を抑制できる。組立式簡易机の場合、複数の仕切り板のうち、並行して配置される一組の仕切り板はその底辺から上方に延びるアーチ状の凹部を有することが好ましい。仕切り板の下部に凹部を設けることで、机の前に配置された椅子に人が座った時、この凹部に足をいれることができ、座りやすいという利点がある。組立式の簡易便座の場合、容器本体の底板に開口を設ければよい。
【考案の効果】
【００１３】
本考案によれば、災害発生後の避難所等で容易に組み立て可能であり且つ組み立て時に発生するごみの量を最小限に抑えることができる組立式家具が提供される。
【図面の簡単な説明】
【００１４】
【図１】本考案に係る組立式家具の第一実施形態（簡易椅子）を示す斜視図である。
【図２】複数の仕切り板を収容した容器の蓋を開けた状態を示す斜視図である。
【図３】図１に示す簡易椅子の構成を示す分解図である。
【図４】本考案に係る組立式家具の第二実施形態（簡易ベッド）を示す斜視図である。
【図５】本考案に係る組立式家具の第三実施形態（簡易ストレッチャー）を示す斜視図である。
【図６】図５に示す簡易ストレッチャーの構成を示す分解図である。
【図７】本考案に係る組立式家具の第四実施形態（簡易机）を示す斜視図である。
【図８】図７に示す簡易机の構成を示す分解図である。
【考案を実施するための形態】
【００１５】
＜第一実施形態＞
図１〜３を参照しながら、本考案の第一実施形態について説明する。図１に示す簡易椅子１０は、複数の仕切り板１，２を井桁状の構造体３に組み立てるとともに、複数の仕切り板１，２を収容していた容器８（容器本体５及び蓋６）を構造体３の上方に装着することによって使用可能な状態となる。図２は、容器本体５内に複数の仕切り板１，２を収容した状態（蓋６を開けた状態）を示す図である。
【００１６】
仕切り板１，２及び容器８はいずれも段ボール製である。なお、段ボールとしては、必要とする強度を有するものであれば、一般に流通しているものを使用すればよく、一層構造であってもよく、あるいは、多層構造からなる強化段ボールを使用してもよい。段ボールの厚さは例えば３〜８ｍｍ程度であればよい。
【００１７】
図３に示すとおり、２枚の仕切り板１はいずれも略矩形であり、一対の対辺のうちの一方の辺１ａから他方の辺１ｂに向けて並行して延びる３本の切り込みＳ１を有する。切り込みＳ１は仕切り板１の縦の長さＬ１の半分の長さを有する。他方、３枚の仕切り板２もいずれも略矩形であり、一対の対辺のうちの一方の辺２ａから他方の辺２ｂに向けて並行して延びる２本の切り込みＳ２を有する。切り込みＳ２は仕切り板２の縦の長さＬ２（長さＬ１と同じ長さ）の半分の長さを有する。なお、ここでいう略矩形とは、矩形（長方形若しくは正方形）又はこれに近い形状を意味する。
【００１８】
２枚の仕切り板１の切り込みＳ１と、３枚の仕切り板２の切り込みＳ２とを互いに嵌め込むことによって図１に示す井桁状の構造体３が形成される。切り込みＳ１と切り込みＳ２とを互いに嵌め込む作業を行いやすくするため、切り込みＳ１，Ｓ２は、これらの開放端に切り込みの幅を広くしたガイド部Ｓ１ａ，Ｓ２ａを有する（図３参照）。
【００１９】
上述のとおり、井桁状の構造体３に容器本体５及び蓋６を装着することによって、簡易椅子１０が完成する。容器本体５は、底板５ａと、底板５ａの周縁部から立設した４枚の側板５ｂとを有する。蓋６は、天板６ａと、天板６ａの周縁部から立設した４枚の側板６ｂとを有する。蓋６の天板６ａは、容器本体５の底板５ａよりも一回り大きく設計されている。これにより、容器本体５が仕切り板１，２を収容している状態においては、蓋６は文字通り容器本体５の蓋としての役割を果たし（図２参照）、簡易椅子として使用する状態においては、容器本体５を底板５ａの外側（上側）から覆って補強材としての役割を果たす（図１，３参照）。
【００２０】
容器本体５は、井桁状の構造体３の変形を抑制するロック部材としての役割を果たす。すなわち、井桁状の構造体３は側方から力が加わると、本来矩形であるべき井桁が平行四辺形に変形する。井桁状の構造体３に容器本体５を装着することによって井桁状の構造体３の変形を防止する。容器本体５がロック部材としての役割を果たすため、井桁状の構造体３の上面３ａを容器本体５がちょうど覆うことができるように両者は互いに適したサイズに設計されている。すなわち、井桁状の構造体３に容器本体５を装着すると、井桁状の構造体３の上面３ａに底板５ａの内面５ｃが当接し且つ井桁状の構造体３の側方に突出する仕切り板１，２の端部１ｃ，２ｃに側板５ｂの内面５ｄが当接するように両者のサイズが設計されている。
【００２１】
簡易椅子１０のサイズは特に制限はないが、幅（図１における長さＷ）は３０〜６０ｃｍ程度であればよく、奥行（図１における長さＤ）は２０〜５０ｃｍ程度であればよく、高さ（図１における長さＨ）は２０〜５０ｃｍ程度であればよい。
【００２２】
容器本体５及び蓋６はそれぞれ、一枚の段ボール板を折り曲げる工程を経て製造されたものである。容器本体５は次のようにして作製される。まず容器本体５用のブランクを準備し、側板５ｂが形成されるように四辺を折り曲げた後、隣り合う側板５ｂ同士が固定されるように例えばホチキス止めすることによって容器本体５を得ることができる。蓋６も同様に、蓋６用のブランクを準備し、側板６ｂが形成されるように四辺を折り曲げた後、隣り合う側板６ｂ同士が固定されるように例えばホチキス止めすることによって蓋６を得ることができる。折り曲げ部５ｅ，６ｅ（図２参照）があるパーツは機械的強度が高いという利点がある。側板５ｂ，６ｂの高さ（容器本体５及び蓋６の深さ）は、機械的強度及び収容量の観点から、それぞれ５〜１０ｃｍ程度とすればよい。
【００２３】
簡易椅子１０の強度をより高めるため、仕切り板１，２並びに容器本体５及び蓋６の目方向を工夫してもよい。段ボールは一般に波状に多数の折れ目が入った中芯（図示せず）と、中芯を挟むように接着された２枚のライナーとを有する。目方向とは、中芯の折れ目に沿った向きを意味する。段ボールの圧縮強度は、一般に目方向の方が目方向と直交する方向よりも高い。簡易椅子１０に人が座ると上方からの圧縮力が加わるため、図３において仕切り板１，２を構成する段ボールの目方向は上下方向（図３の矢印Ａ）とすることが好ましい。他方、容器本体５の底板５ａの目方向と蓋６の天板６ａの目方向は、強度の観点から互いに直交していることが好ましい。
【００２４】
本実施形態によれば、井桁状の構造体３となる複数の仕切り板１，２は運搬時及び保管時等においては容器８に収容されている（図２参照）。このため、梱包材が全く不要であるか、梱包材を使用するにしても最小限にとどめることができる。これにより組立時に発生するごみの量をゼロ又は最小限にとどめることができる。また、複数の仕切り板１，２から井桁状の構造体３を作製し、これに容器本体５及び蓋６を装着するという極めて簡易な作業で簡易椅子１０を組み立てることができる。
【００２５】
＜第二実施形態＞
図４は、第二実施形態に係る段ボール製簡易ベッドを示す斜視図である。同図に示す簡易ベッド２０は、互いに同一の３つのパーツ２０ａが並べて配置されて構成されている。各パーツ２０ａの構成は仕切り板のサイズ及び枚数が相違することの他は上記簡易椅子１０と実質的に同じである。パーツ２０ａのサイズは特に制限はないが、幅（図４における長さＷ）は８０〜１００ｃｍ程度であればよく、奥行（図４における長さＤ）は５０〜７０ｃｍ程度であればよく、高さ（図４における長さＨ）は２０〜５０ｃｍ程度であればよい。なお、本実施形態においては、各パーツ２０ａの井桁状の構造体２３は、並行して配置される３枚の仕切り板２１と、これらと直交して配置される５枚の仕切り板２２とによって構成されている。井桁状の構造体２３の上面に容器本体２５及び蓋２６が重ねて装着されている。
【００２６】
なお、簡易ベッド２０を構成するパーツの数は３つに限定されず、これよりも少なくても多くてもよい。例えば、多数の簡易椅子１０を準備し、これらを並べ、更にその上にボードを配置することによって簡易ベッドを構成してもよい。
【００２７】
＜第三実施形態＞
図５，６を参照しながら、第三実施形態に係る段ボール製簡易ストレッチャーについて説明する。ストレッチャーは負傷者や病人を寝かした状態で搬送するためのものである。なお、図５に示す簡易ストレッチャー３０はタイヤなどの搬送手段を具備しないが、簡易ストレッチャー３０を例えば台車に乗せることによって負傷者等を乗せたまま簡易ストレッチャー３０を移動させることができる。
【００２８】
簡易ストレッチャー３０の構成は、以下の点の他は上記簡易椅子１０と実質的に同じである。
（１）仕切り板３１，３２のサイズ及び枚数。
（２）仕切り板３２の形状（井桁状の構造体３３の上面３３ａは短手方向の中央部が低くなるように構成されている（図６参照））。
（３）容器本体３５の底板３５ａは長方形であり且つ長手方向に並行して延びる少なくとも二本の折れ目３５ｃを有する点。
（４）底板３５ａを折れ目３５ｃで折り曲げるため、折れ目３５ｃの延長線上に位置する側板３５ｂに切れ込み３５ｄが入っている点（図６参照）。
【００２９】
簡易ストレッチャー３０の短手方向の中央部を低くし、その外側を高くすることで簡易ストレッチャー３０に乗せられる負傷者の位置が安定し、落下を抑制できる。簡易ストレッチャー３０のサイズは特に制限はないが、長さ（図５における長さＬ）は６０〜２００ｃｍ程度であればよく、幅（図５における長さＷ）は６０〜９０ｃｍ程度であればよく、高さ（図５における長さＨ）は６０〜８０ｃｍ程度であればよい。なお、本実施形態においては、簡易ストレッチャー３０の井桁状の構造体３３は、並行して配置される４枚の仕切り板３１と、これらと直交して配置される７枚の仕切り板３２とによって構成されている。なお、図５，６には蓋を図示していないが、容器本体３５を覆うように蓋が配置される。
【００３０】
＜第四実施形態＞
図７，８を参照しながら、第四実施形態に係る段ボール製簡易机について説明する。簡易机４０の構成は、以下の点の他は上記簡易椅子１０と実質的に同じである。
（１）仕切り板４１，４２のサイズ。
（２）仕切り板４１，４２の形状（仕切り板４１は底辺４１ａから上方に延びるアーチ状の凹部４１ｂを有し、他方、複数の仕切り板４２のうちの一枚は凹部４１ｂにはみ出さないようにサイズが調整されている。）
【００３１】
仕切り板４１の下部にアーチ状の凹部４１ｂを設けることで、簡易机４０の前に配置された椅子に人が座った時、凹部４１ｂに足をいれることができ、座りやすいという利点がある。簡易机４０のサイズは特に制限はないが、幅（図７における長さＷ）は６０〜１００ｃｍ程度であればよく、奥行（図７における長さＤ）は６０〜８０ｃｍ程度であればよく、高さ（図７における長さＨ）は６０〜８０ｃｍ程度であればよい。なお、本実施形態においては、簡易机４０の井桁状の構造体４３は、並行して配置される２枚の仕切り板４１と、これらと直交して配置される３枚の仕切り板３２とによって構成されている。井桁状の構造体４３の上面に容器本体４５が装着されている。なお、図７、８には蓋を図示していないが、容器本体４５を覆うように蓋が配置される。
【００３２】
以上、本考案の実施形態について詳細に説明したが、本考案は上記実施形態に限定されるものではない。例えば、上記実施形態においては、容器が容器本体と蓋とによって構成される場合を例示したが、蓋は使用せず、上記実施形態でいう容器本体のみからなる容器を採用してもよい。また、上記実施形態においては、簡易椅子や簡易ベッドなどを例示したが、本考案の組立式簡易家具はこれらに限定されず、例えば、組立式簡易便器に適用してもよい。この場合、底板（及び蓋）の中央部に開口を設ければよい。
【符号の説明】
【００３３】
１，２，２１，２２，３１，３２，４１，４２…仕切り板、１ｃ，２ｃ…仕切り板の端部、３，２３，３３，４３…井桁状の構造体、３ａ，３３ａ…井桁状の構造体の上面、５，２５，３５，４５…容器本体（容器）、５ａ，３５ａ…底板、５ｂ，３５ｂ…容器本体の側板、５ｃ…底板の内面、５ｄ…側板の内面、６，２６…蓋（容器）、６ａ…天板、６ｂ…蓋の側板、８…容器、１０…簡易椅子、２０…簡易ベッド、３０…簡易ストレッチャー、３５ｃ…折れ目、４０…簡易机、４１ａ…仕切り板の底辺、４１ｂ…凹部。
【図１】
0003194505.tif 000003
【図２】
0003194505.tif 000004
【図３】
0003194505.tif 000005
【図４】
0003194505.tif 000006
【図５】
0003194505.tif 000007
【図６】
0003194505.tif 000008
【図７】
0003194505.tif 000009
【図８】
0003194505.tif 000010